(57)【要約】【課題】硬質表面に付着した油汚れに対する洗浄力が高く、また、適用後の拭き取り性にも優れた、硬質表面用中性洗浄剤組成物を提供する。【解決手段】（Ａ）炭素数６〜１６の炭化水素、（Ｂ）カチオン界面活性剤、（Ｃ）非イオン界面活性剤及び両性界面活性剤から選ばれる少なくとも１種の界面活性剤、並びに水を含有する硬質表面用中性洗浄剤組成物。【選択図】なし【特許請求の範囲】
【請求項１】
（Ａ）炭素数６〜１６の炭化水素、（Ｂ）カチオン界面活性剤、（Ｃ）非イオン界面活性剤及び両性界面活性剤から選ばれる少なくとも１種の界面活性剤、並びに水を含有する硬質表面用中性洗浄剤組成物。
【請求項２】
更に、（Ｄ）アルキルグリセリルエーテルを含有する請求項１記載の硬質表面用中性洗浄剤組成物。
【請求項３】
（Ｂ）が、下記一般式（Ｂ１）で表されるカチオン界面活性剤及び一般式（Ｂ２）で表されるカチオン界面活性剤から選ばれる少なくとも１種のカチオン界面活性剤である請求項１又は２記載の硬質表面用中性洗浄剤組成物。
【化１】
2010037515.tif 000007
〔式中、Ｒb1〜Ｒb4のいずれか１つ又は２つが、炭素数８〜１６の直鎖もしくは分岐鎖のアルキル基又はアルケニル基、又は次式
【化２】
2010037515.tif 000008
で表される基を示し、残りは同一もしくは異なって、炭素数１〜３のアルキル基、ベンジル基、又は式−（ＣＨ2ＣＨ2Ｏ）mＨ（ｍはエチレンオキシド平均付加モル数で、２〜２０を示す）で表される基を示し、Ｒb5は炭素数１２〜１８の直鎖又は分岐鎖のアルキル基又はアルケニル基を示し、Ｘ-はハロゲンイオン、好ましくは塩素イオン、又は有機アニオンとなる基を示す。〕
【請求項４】
（Ｃ）が、アルキル（ポリ）グリコシドである請求項１〜３の何れか１項記載の硬質表面用中性洗浄剤組成物。
【発明の詳細な説明】
【技術分野】
【０００１】
本発明は、硬質表面用中性洗浄剤組成物に関する。
【背景技術】
【０００２】
厨房、食品加工工場等では、食品加工段階で頻繁に油が機器及び周辺に飛散し、多くの洗浄を行う必要性が生じている。この時使用する洗浄剤としては、アルカリ剤や界面活性剤を主成分とし、溶剤を配合した洗浄剤が用いられる（特許文献１、２）。一般に、硬質表面に付着した油汚れに対する洗浄力を高めるにはアルカリ性の洗浄剤を用いることが望ましいとされている。また、テルペン系溶剤と特定の有機酸を含む酸性の洗浄剤組成物が開示されている（特許文献３）。これらの洗浄剤は、安全性の観点から、保護具（メガネ、ゴム手袋）の使用が推奨されているが、硬質表面を構成する基材への損傷や手指への影響などを考慮した安全性、及び簡便性（作業性）を強く求める現場では、中性の洗浄剤の開発が大いに期待されている。こうした観点から、中性の洗浄剤組成物が提案されている（特許文献４、５）。
【特許文献１】特開２００８−４４９９４号公報
【特許文献２】特開２００６−８８０１号公報
【特許文献３】特開２００７−３１４７３７号公報
【特許文献４】特開２０００−２９７２９６号公報
【特許文献５】特開昭６１−１５７５９４号公報
【発明の開示】
【発明が解決しようとする課題】
【０００３】
上記の通り、硬質表面を構成する基材への損傷や手指への影響などを考慮すると、中性の洗浄剤が望ましいが、中性を維持したまま、硬質表面に付着した油汚れに対する洗浄力を高めることは困難である。
【０００４】
また、界面活性剤（特にカチオン界面活性剤）を配合することで、洗浄剤を硬質表面に適用した後の拭き取り性（拭き取りやすさ、拭き取り後のべたつき感）が低下する傾向を示すが、これに対しても、従来の技術では十分な効果を奏するに至っていない。
【０００５】
本発明は、硬質表面に付着した油汚れに対する洗浄力が高く、また、適用後の拭き取り性にも優れた、硬質表面用中性洗浄剤組成物を提供することである。
【課題を解決するための手段】
【０００６】
本発明は、（Ａ）炭素数６〜１６の炭化水素〔以下、（Ａ）成分という〕、（Ｂ）カチオン界面活性剤〔以下、（Ｂ）成分という〕、（Ｃ）非イオン界面活性剤及び両性界面活性剤から選ばれる少なくとも１種の界面活性剤〔以下、（Ｃ）成分という〕、並びに水を含有する硬質表面用中性洗浄剤組成物に関する。
【発明の効果】
【０００７】
本発明によれば、硬質表面に付着した油汚れに対する洗浄力が高く、また、適用後の拭き取り性にも優れた、硬質表面用中性洗浄剤組成物が提供される。
【発明を実施するための最良の形態】
【０００８】
＜（Ａ）成分＞
本発明の（Ａ）成分は、炭素数６〜１６の炭化水素である。炭化水素としては、脂肪族炭化水素、芳香族炭化水素等が挙げられるが、配合品安定性の観点から脂肪族炭化水素が好ましく、炭素数６〜１６の脂肪族炭化水素がより好ましく、炭素数８〜１４の脂肪族炭化水素が特に好ましい。更に炭素数１０〜１３の脂肪族炭化水素が好ましい。更に、飽和系炭化水素が好ましく、飽和系脂肪族炭化水素が最も好ましい。具体的には、ヘキサン、シクロヘキサン、ヘプタン、オクタン、ノナン、デカン、ウンデカン、ドデカン、トリデカン、テトラデカン、ペンタデカン、ヘキサデカン、炭素数１０のα−オレフィン、炭素数１２のα−オレフィン、炭素数１４のα−オレフィン、Ｄ−リモネン、Ｌ−リモネン、α−テルピネオール、カリオフムレン、セドレン等が挙げられるが、好ましくは、デカン、ウンデカン、ドデカン、トリデカン、Ｄ−リモネン、Ｌ−リモネン等が挙げられる。更に好ましくはデカン、ウンデカン、ドデカン、トリデカンが挙げられる。
【０００９】
＜（Ｂ）成分＞
本発明の（Ｂ）成分は、カチオン界面活性剤であり、アルキルトリメチルアンモニウム塩、ジアルキルジメチルアンモニウム塩、トリエタノールアミン・ジ脂肪酸エステル四級塩、N-ヒドロキシエチル-N-メチル-プロパンジアミンの脂肪酸モノエステルモノアミド塩、アルキルベンジルジメチルアンモニウム塩、アルキルアンモニウム塩、アルキルピリジニウム塩、ポリエチレンポリアミン等が挙げられる。
【００１０】
中でも、殺菌性を有するカチオン界面活性剤が好ましく、殺菌性を有するカチオン界面活性剤として、下記一般式（Ｂ１）で表されるカチオン界面活性剤及び一般式（Ｂ２）で表されるカチオン界面活性剤から選ばれる少なくとも１種のカチオン界面活性剤が挙げられる。
【００１１】
【化３】
2010037515.tif 000002
【００１２】
〔式中、Ｒb1〜Ｒb4のいずれか１つ又は２つが、炭素数８〜１６の直鎖もしくは分岐鎖のアルキル基又はアルケニル基、又は次式
【００１３】
【化４】
2010037515.tif 000003
【００１４】
で表される基を示し、残りは同一もしくは異なって、炭素数１〜３のアルキル基、ベンジル基、又は式−（ＣＨ2ＣＨ2Ｏ）mＨ（ｍはエチレンオキシド平均付加モル数で、２〜２０を示す）で表される基を示し、Ｒb5は炭素数１２〜１８の直鎖又は分岐鎖のアルキル基又はアルケニル基を示し、Ｘ-はハロゲンイオン、好ましくは塩素イオン、又は有機アニオンとなる基を示す。〕
【００１５】
（Ｂ）成分としては、具体的には、ジアルキルジメチルアンモニウムハライド、塩化ベンザルコニウム、塩化ベンゼトニウム又はこれらの対イオンが他のアニオンに変換されたカチオン界面活性剤、更に殺菌性を有するカチオン界面活性剤が好ましく、特に、式（Ｂ１）で表され、Ｒb1〜Ｒb4として炭素数８〜１０の直鎖アルキル基を２つ有し残余メチル基のものが、洗浄性と殺菌性の両面から最も好ましい。
【００１６】
＜（Ｃ）成分＞
本発明の（Ｃ）成分は、非イオン界面活性剤及び両性界面活性剤からなる群から選ばれる１種以上の界面活性剤である。具体的には次のものが挙げられる。なお、（Ｃ）成分からは、後述の（Ｄ）成分は除かれる。
【００１７】
非イオン界面活性剤としては、ポリオキシアルキレンアルキル又はアルケニルエーテル類、ポリオキシアルキレンアルキルフェニルエーテル類、蔗糖脂肪酸エステル類、脂肪酸グリセリンエステル類、アミンオキシド類、高級脂肪酸アルカノールアミド類又はそのアルキレンオキサイド付加物、アルキル（ポリ）グリコシド等が挙げられる。
【００１８】
アルキル（ポリ）グリコシドとしては、下記一般式（Ｃ１）で表されるアルキル（ポリ）グリコシドが好ましい。
Ｒc1（ＯＲc2）xＧy        （Ｃ１）
〔式中、Ｒc1は、直鎖又は分岐鎖の総炭素数８〜１８のアルキル基もしくはアルケニル基、又はアルキル（炭素数２〜１２）フェニル基を示し、Ｒc2は炭素数２〜４のアルキレン基を示し、Ｇは炭素数５〜６を有する還元糖に由来する残基を示し、ｘ（平均値）は０〜５を示し、ｙ（平均値）は１〜５を示す。〕
【００１９】
式（Ｃ１）中のｘはその平均値が０〜５であるが、好ましいｘの値は０〜２であり、特に好ましくは０である。
【００２０】
式（Ｃ１）中のｙは、その平均値が１より大きい場合、つまり２糖類以上の糖鎖を親水性基とする場合、糖鎖の結合様式が１−２、１−３、１−４、１−６結合のもの、さらにα−、β−ピラノシド結合又はフラノシド結合及びこれらの混合された結合様式を有する任意の混合物を含むことが可能である。また、一般式（Ｃ１）中のｙの平均値は１〜５、好ましくは１〜１．５、より好ましくは１．１〜１．４である。なお、ｙの測定値はプロトンＮＭＲ法によるものである。
【００２１】
式（Ｃ１）中のＲc1は、溶解性及び洗浄性の点から炭素数１０〜１４のアルキル基が好ましい。Ｒc2は、水溶性の点から炭素数２〜３のアルキレン基が好ましい。
【００２２】
式中のＧは単糖類若しくは２糖類以上の原料によってその構造が決定されるが、このＧの原料としては、単糖類ではグルコース、フルクトース、ガラクトース、キシロース、マンノース、リキソース、アラビノース及びこれらの混合物等を挙げることができ、２糖類以上ではマルトース、キシロビオース、イソマルトース、セロビオース、ゲンチビオース、ラクトース、スクロース、ニゲロース、ツラノース、ラフィノース、ゲンチアノース、メレジトース及びこれらの混合物等を挙げることができる。これらのうち、好ましい原料は、それらの入手容易性及びコストの点から、単糖類ではグルコース及びフルクトースであり、２糖類以上ではマルトース及びスクロースである。これらの中でも特に入手容易性の点からグルコースが好ましい。なお、式（Ｃ１）中のＧがグルコースに由来する場合は、式（Ｃ１）はアルキル（ポリ）グルコシドである。
【００２３】
両性界面活性剤としては、例えば炭素数１〜２２の直鎖又は分岐鎖のアルキル基又はアルケニル基を有するスルホベタイン及びカルボベタイン等が挙げられる。
【００２４】
（Ｃ）成分としては、非イオン界面活性剤が好ましく、なかでもアルキル（ポリ）グリコシド、更に上記一般式（Ｃ１）で表されるアルキル（ポリ）グリコシドが好ましい。また、（Ｃ）成分を複数用いる場合は、（Ｃ）成分として非イオン界面活性剤、なかでもアルキル（ポリ）グリコシドを含むことが好ましく、（Ｃ）成分中、非イオン界面活性剤、なかでもアルキル（ポリ）グリコシドの割合が１０〜１００重量％、更に２０〜１００重量％であることが好ましい。
【００２５】
＜（Ｄ）成分＞
本発明の硬質表面用中性洗浄剤組成物は、（Ａ）成分の安定化のために、更に、（Ｄ）成分として、アルキルグリセリルエーテルを含有することが好ましい。（Ｄ）成分としては、下記一般式（Ｄ１）で表されるアルキルグリセリルエーテルが好ましい。
Ｒd1−ＯＣＨ2ＣＨ（ＯＨ）ＣＨ2ＯＨ  （Ｄ１）
〔式中、Ｒd1は炭素数４〜１２のアルキル基もしくはアルケニル基、ベンジル基又はフェニル基を示す。〕
【００２６】
組成物安定性の観点から式（Ｄ１）中のＲd1は、炭素数６〜１２のアルキル基が好ましく、炭素数８〜１１のアルキル基が特に好ましい。なかでも、２−エチルヘキシルグリセリルエーテルやイソデシルグリセリルエーテルが好ましい。
【００２７】
＜硬質表面用中性洗浄剤組成物＞
本発明の硬質表面用中性洗浄剤組成物は、（Ａ）成分を１〜３０重量％、更に２〜２０重量％、より更に３〜１０重量％含有することが好ましい。また、（Ｂ）成分を０．１〜２０重量％、更に０．５〜１５重量％、より更に１〜１０重量％含有することが好ましい。また、（Ｃ）成分を１〜３０重量％、更に２〜３０重量％、より更に３〜２０重量％含有することが好ましい。また、（Ｄ）成分を含有する場合、（Ｄ）成分の含有量は、組成物中、０．１〜２０重量％、更に０．５〜１５重量％、より更に１〜１０重量％が好ましい。また、（Ｄ）成分と（Ｃ）成分の重量比は、（Ｄ）／（Ｃ）＝１／１０〜２／１、更に３／１０〜１／１であることが好ましい。本発明の硬質表面用中性洗浄剤組成物は、これら（Ａ）〜（Ｃ）成分と水、更に必要に応じて配合される（Ｄ）成分等の任意成分を含有する。水の含有量は１０〜９９、更に３０〜９５重量％、より更に５０〜９０重量％が好ましい。
【００２８】
本発明の硬質表面用中性洗浄剤組成物は、好ましくは２０℃におけるｐＨが６〜８であり、より好ましくは６．２〜８である。このｐＨは、例えばpH METER F-22 (HORIBA) により測定することができる。
【００２９】
本発明の硬質表面用中性洗浄剤組成物は、任意成分として水溶性溶剤、高級アルコール、酸化防止剤、防錆剤、ｐＨ調整剤、シリコーンオイル類、フッ素オイル類、色素、香料等を含有することができる。また、クロルヘキシジン、グルコン酸クロルヘキシジン等のビグアナイド系殺菌剤、アルキルジアミノエチルグリシン、アルキルポリアミノエチルグリシン等のアミノ酸系殺菌剤等の殺菌剤を含有することができる。
【００３０】
本発明の硬質表面用中性洗浄剤組成物は、厨房、台所、浴室、トイレ等の一般家庭の硬質表面や、食品加工工場等、各種工業施設の硬質表面に適用できる。なかでも、油汚れが付着しやすい厨房、台所、食品加工工場等の硬質表面に好適に適用できる。
【００３１】
本発明の硬質表面用中性洗浄剤組成物は、そのまま或いは適宜希釈して、洗浄媒体として硬質表面の洗浄に用いられる。洗浄媒体における（Ａ）成分の濃度は０．０１〜５０重量％、更に０．０５〜１０重量％が好ましい。また、（Ｂ）成分の濃度は０．００１〜２０重量％、更に０．０１〜５重量％が好ましい。また、（Ｃ）成分の濃度は０．０１〜５０重量％、更に０．０５〜１０重量％が好ましい。また、（Ｄ）成分の濃度は０．００１〜２０重量％、更に０．０１〜５重量％が好ましい。この範囲となるように希釈倍率を調整することが好ましい。また、洗浄媒体の２０℃におけるｐＨも６〜８であることが好ましい。希釈は水で行うことが好ましい。
【実施例】
【００３２】
表１に示す硬質表面用中性洗浄剤組成物を調製し、以下の評価を行った。結果を表１に示す。
【００３３】
実験方法１（洗浄試験）
洗浄性の評価として、油を用いたリーナツ改良洗浄試験法を行った。
溶融させた牛脂１８０ｇと菜種油２０ｇの混合油に、クロロホルム３００ｇとスダンIII（油溶性染料）０．３ｇを加えた後、ガーゼで濾過したものをモデル油汚れとした。予めヘキサンで洗浄した３０ｍｍ×８０ｍｍ×１ｍｍサイズのＳＵＳプレートを試験片とし、４枚１組とし風袋重量を測定しておく。この試験片の一枚を上記モデル油汚れに２秒間浸漬し、試験片の５０ｍｍ付近までモデル油汚れを付着させる。試験片下部に付着した余分な汚れはペーパーで吸い取らせる。その後、２５±２℃にて風乾し重量を測定し、洗浄前の重量とする。モデル油汚れが付着した試験片をリーナツ改良洗浄機にセットし、表１記載の洗浄剤組成物７ｇにイオン交換水６９３ｇを混合した１％洗浄液（１００倍希釈水溶液）で２５±２℃の温度にて洗浄する。３分間後試験片を取り出し、風乾後、重量（洗浄後重量）を測定し、下記計算式により洗浄率を算出する。１つの洗浄剤につき４枚の洗浄率を下記式で算出し、その平均値で評価した。
【００３４】
【数１】
2010037515.tif 000004
【００３５】
実験方法２（洗浄試験）
洗浄性の他の評価として、熱変性油拭き取り試験を行った。
ナタネ油を空気接触条件で１８０℃、２４時間加熱処理した油を熱変性油とした。この変性油０．６ｇとスダンIII（油溶性染料）０．０６ｇを計量し、クロロホルムで３００ｇに調整した溶液を作製する。予めヘキサンで洗浄した１００ｍｍ×２００ｍｍ×１ｍｍサイズのＳＵＳプレート上に変性油クロロホルム溶液を２ｍＬ付与し、ガラス棒で均一に塗布する。室温で１日乾燥させたプレートを試験片として用いる。１２ｃｍ×２１．５ｃｍのキムワイプ（日本製紙クレシア株式会社製）を幅２ｃｍ、長さ２．５ｃｍに折りたたみ１００倍に希釈した試験液１ｍＬを含浸させる。この洗浄液含浸紙でＳＵＳプレートを横方向（１００ｍｍ）を１往復拭き取る。その拭き取り紙を１つのガラス容器に入れる。その上から、ヘキサン２０ｍＬを添加し、拭き取った油を溶解させ、その液の波長５００ｎｍでの吸光度を測定し、その値をＡ０とする。この値は拭き取った油分を示す。その後、前記とは別の容器に新たに２０ｍＬのヘキサンを入れ、脱脂綿を浸漬し、ＳＵＳプレートの拭き取り試験でふき取った箇所の残った油部をその脱脂綿で拭き取る。その脱脂綿を、ヘキサンが入った容器に戻して、拭き取った油を溶解させ、その液の波長５００ｎｍでの吸光度を測定し、その値をＡ１とする。因みに、この値は拭き残した油分を示す。以上の測定値より拭き取り洗浄率を以下の式により計算した。
【００３６】
【数２】
2010037515.tif 000005
【００３７】
実験方法３（拭き残り試験）
１００倍に希釈した洗浄剤組成物の水溶液５ｇを幅９ｃｍ、長さ１０ｃｍに折りたたんだキムタオル（日本製紙クレシア株式会社製）に含浸させる。この液含浸紙を用いて予めエタノールで洗浄した１５０ｍｍ×１５０ｍｍ×２ｍｍサイズのガラスプレートを縦横それぞれ２往復拭き掃除する。室温で１日乾燥後、ガラス表面の拭き筋の有無を目視判定し、その後滑り感を４人で官能試験で５段階評価した。表１には、４人の平均値を示した。
５：全く滑らず良好、拭き筋無し
４：若干滑る、拭き筋無し
３：若干滑る、拭き筋が若干認められる
２：良く滑る、拭き筋が若干認められる
１：良く滑り、拭き筋も認められる。仕上げ拭きが必要。
【００３８】
【表１】
2010037515.tif 000006
【００３９】
表中の成分は以下のものである。
・塩化ベンザルコニウム：花王株式会社製、サニゾールＢ−５０
・アルキル（ポリ）グリコシド：花王株式会社製、マイドール１２
・ラウリル硫酸Ｎａ塩：花王株式会社製、エマール０
【００４０】
表１の実施例と比較例の対比から、本発明の洗浄剤組成物は中性であるにもかかわらず、硬質表面に付着した油汚れに対して、優れた浸漬洗浄性、拭き取り洗浄性を有し、また、拭き取り性にも優れていることがわかる。